(57)【特許請求の範囲】
【請求項１】
ｐ型導電性を有する多結晶ＩＢ−IIIＡ−VIＡ族吸収層と、
ステンレススチール・フィルムから成るキャリア・フィルムと、
前記キャリア・フィルムと前記吸収層との間に設けられたバック電極であって、ＣｕおよびＩｎの２つの金属間化合物相から成るバック電極と
備えることを特徴とするＩＢ−IIIＡ−VIＡ族半導体ベースの薄膜太陽電池素子。
【請求項２】
前記キャリア・フィルムが、１５μｍないし１００μｍの厚さを有することを特徴とする請求項１に記載のＩＢ−IIIＡ−VIＡ族半導体ベースの薄膜太陽電池素子。
【請求項３】
光起電的に活性な吸収層とステンレススチール・フィルムから成るキャリア・フィルムとの間にバック電極を備える請求項１に記載のＩＢ−IIIＡ−VIＡ族半導体ベースの薄膜太陽電池素子を製造する方法において、
前記キャリア・フィルム上にＣｕおよびＩｎを成膜して前記キャリア・フィルムに接触する第１の側と、前記第１の側と反対側にある第２の側とを有する前記ＣｕおよびＩｎの層を形成するステップと、
前記第２の側に位置する前記ＣｕおよびＩｎが前記光起電的に活性な吸収材料に変換され、またＣｕおよびＩｎの２つの金属間化合物相が前記第１の側上に位置されるとともに前記太陽電池構造の前記バック電極として働くように、前記ＣｕおよびＩｎをカルコゲン化するステップと、
緩衝層を成膜するステップと、
透明な導電性フロント電極を成膜するステップと
を含むことを特徴とするＩＢ−IIIＡ−VIＡ族半導体ベースの薄膜太陽電池素子の製造方法。
【請求項４】
前記カルコゲン化するステップが、ロール・ツー・ロール・プロセスであることを特徴とする請求項３に記載のＩＢ−IIIＡ−VIＡ族半導体ベースの薄膜太陽電池素子の製造方法。
【請求項５】
前記吸収層が元素Ｃｕ、ＩｎおよびＳから成ることを特徴とする請求項３にＩＢ−IIIＡ−VIＡ族半導体ベースの薄膜太陽電池素子の製造方法。
【請求項６】
前記バック電極が、１μｍないし５μｍの厚さを有することを特徴とする請求項１に記載のＩＢ−IIIＡ−VIＡ族半導体ベースの薄膜太陽電池素子。
【請求項７】
緩衝層をさらに備えることを特徴とする請求項１に記載のＩＢ−IIIＡ−VIＡ族半導体ベースの薄膜太陽電池素子。
【請求項８】
前記緩衝層が、１０ｎｍないし５０ｎｍの厚さを有することを特徴とする請求項７に記載のＩＢ−IIIＡ−VIＡ族半導体ベースの薄膜太陽電池素子。
【請求項９】
前記緩衝層が、ＣｄＳを含むことを特徴とする請求項８に記載のＩＢ−IIIＡ−VIＡ族半導体ベースの薄膜太陽電池素子。
【請求項１０】
透明なフロント電極をさらに備えることを特徴とする請求項１に記載のＩＢ−IIIＡ−VIＡ族半導体ベースの薄膜太陽電池素子。
【請求項１１】
前記透明なフロント電極が、外部ドープされた酸化亜鉛を含むことを特徴とする請求項１０に記載のＩＢ−IIIＡ−VIＡ族半導体ベースの薄膜太陽電池素子。
【請求項１２】
ｐ型導電性を有する多結晶ＩＢ−IIIＡ−VIＡ族吸収層と、
ステンレススチール・フィルムから成るキャリア・フィルムと、
前記キャリア・フィルムと前記吸収層との間に設けられたバック電極であって、ＣｕおよびＩｎの２つの金属間化合物相から成るバック電極と、
透明なフロント電極と、
前記透明なフロント電極と前記吸収層の間に設けられた緩衝層と
を備えることを特徴とするＩＢ−IIIＡ−VIＡ族半導体ベースの薄膜太陽電池素子。
【請求項１３】
吸収層とステンレススチール・フィルムから成るキャリア・フィルムとの間にバック電極を備える請求項１２に記載のＩＢ−IIIＡ−VIＡ族半導体ベースの薄膜太陽電池素子を製造する方法において、
前記キャリア・フィルム上に前記ＣｕおよびＩｎを成膜して前記キャリア・フィルムに接触する第１の側と、前記第１の側と反対側にある第２の側とを有する前記ＣｕおよびＩｎの層を形成するステップと、
前記第２の側に位置する前記ＣｕおよびＩｎが前記吸収層に不完全に変換され、また前記ＣｕおよびＩｎの２つの金属間化合物相が前記第１の側上に位置されるとともに前記太陽電池構造の前記バック電極として働くように、前記ＣｕおよびＩｎをカルコゲン化するステップと、
緩衝層を成膜するステップと、
透明なフロント電極を成膜するステップと
を含むことを特徴とするＩＢ−IIIＡ−VIＡ族半導体ベースの薄膜太陽電池素子の製造方法。
【発明の詳細な説明】
【０００１】
【発明の属する技術分野】
本発明は、そのバック電極がｐ型導電性の多結晶吸収体層を製造するために使用されるものと同じ金属の合金相からなるＩＢ−IIIＡ−VIＡ族半導体ベースの薄膜太陽電池素子に関するものである。
さらに、本発明はこのような太陽電池素子を製造するための方法に関するものである。
【０００２】
【従来の技術】
光電池モジュール開発の主たる目的の一つは、太陽電気の生産コストを地上での利用のために大幅に低減することである。地球圏外の用途に関しては、太陽電池モジュールの重量低減が太陽電池素子の耐放射線性の改良とともに開発の眼目になっている。
【０００３】
多結晶のＩＢ−IIIＡ−VIＡ族化合物半導体ベースの太陽電池素子およびモジュールはこれらの目的を達成するための好適な手段の候補である。近年、光活性吸収体材料として一般にＣＩＳあるいはＣＩＧＳと呼ばれる銅、インジウムとガリウムさらにはセレンあるいは硫黄をベースとする化合物半導体を用いて特に大きな進歩が達成されている。
【０００４】
【発明が解決しようとする課題】
太陽電池素子の構造は、米国特許第5,141,564号明細書で知られている。この特許明細書に記載されているセル構造は、ガラス製の基板、モリブデンで形成されたバック電極、ｐ型導電性のＣｕＩｎＳｅ２またはＣｕＩｎ（Ｓｅ，Ｓ）２の１〜５μｍの厚さを有する多結晶吸収体層、薄膜硫化カドミウム−窓層およびｎ型導電性の透明フロント電極よりなる。このセル構造は、これらの多結晶薄膜太陽電池素子を製造するための多くの方法の基礎をなすものである。独国特許DE 42 25 385 C2号公報および欧州特許公開EP 0,574,716 A1号公報に記載されているように、モリブデン被覆ガラス基板に代えて、多結晶吸収体層を、モリブデン製テープあるいはモリブデン被覆金属テープと同様の可撓性テープ状基板上に溶着形成することも可能である。
【０００５】
これら構成はすべて、モリブデン製のバック電極を具備する。しかしながら、多結晶吸収体層のモリブデンに対する接着性が低いために、ガラス基板の層の剥離や可撓性テープ上の層のフレーキングが生じて、これまで可撓性ＣＩＳ太陽電池素子の開発が大きく妨げられて来た。国際公開WO 95/09441 Al号公報には、ＣＩＳ吸収体層の接着性を改善するために、モリブデン製のバック電極と吸収体層との間にチタン、タンタル、クロムあるいは窒化チタン製の中間層を設けることが提案されている。また、欧州特許公開EP 0,360,403 A2号公報には、ＣＩＳ吸収体とモリブデン製の基板との間にガリウム含有中間層を有する銅−インジウム−２セレン化物太陽電池素子が提案されている。欧州特許公開EP 0,798,786 A2号公報には、黄銅鉱の吸収体層を有する太陽電池素子が提案されており、この太陽電池素子によれば、モリブデン製のバック電極と吸収体層との間に亜鉛からなる薄い中間層が設けられる。
【０００６】
上記のいずれの構成に関しても、追加の構成要素を導入しなければならず、そのために、それらの層の形成のために別途の技術ステップが必要になるという不利がある。
独国特許DE 196 34 580 C2号公報には、銅テープにＣＩＳ吸収体層を直接形成する方法が提案されている。この方法によれば、剥離あるいはフレーキングが起こらないように、ＣＩＳ吸収体層が銅と密にあるいは堅固に互生（intergrown）される。Solar Energy Materials and Solar Cells 53 (1998）pp.285〜298には、銅−インジウム合金相の薄層を銅テープと多結晶吸収体層との間に導入する技術が記載されている。この方法に従って生成される吸収体層はｎ型導電性を持つ。少数キャリアの移動度はｎ型導電性の黄銅鉱ではｐ型導電性の黄銅鉱より１単位小さいので、この構成に関して、ｐ型吸収体層よりなる構成とｎ型導電性のコレクタ層よりなる構成とを比較した場合、効率がいっそう低減することが予期される。さらに、この方法は、銅の機械的安定性が低いので比較的厚い銅テープを使用しなければならないという点で、不利な影響を受けることになる。また、この方法によれば、銅テープは同時に吸収層のための銅ソースをもなすので、非常に高純度の銅テープが使わなければならず、従って太陽電池素子のコストが不必要に高くなる。
【０００７】
本発明の目的は、コスト効率の良い任意のキャリア・フィルムに対して堅固に接着されるＩＢ−IIIＡ−VIＡ族化合物半導体ベースのｐ型導電性吸収体層を具備した太陽電池素子を提供することにある。
本発明のもう一つの目的は、上記のような形態の太陽電池素子で、可撓性を有し、比較的安価に製造することが可能な太陽電池素子を提供することにある。
【０００８】
本発明のもう一つの目的は、上記のような形態の太陽電池素子で、比較的重量の小さい太陽電池素子を提供することにある。
本発明のもう一つの目的は、上記のような太陽電池素子を製造するための方法を提供することにある。
【０００９】
【課題を解決するための手段】
上記およびその他の目的を達成するためになされた本発明は、ＩＢ−IIIＡ−VIＡ族化合物半導体ベースの薄膜太陽電池素子において、ｐ型導電性の多結晶ＩＢ−IIIＡ−VIＡ族吸収体層と基板として用いられるステンレススチール・フィルムから成るキャリア・フィルムとの間にバック電極を設け、該バック電極がＣｕおよびＩｎの合金相で形成されることを特徴とするものである。
【００１０】
また、上記およびその他の目的を達成するためになされた本発明は、吸収体層とステンレススチール・フィルムから成るキャリア・フィルムとの間にバック電極を有する薄膜太陽電池素子を製造するための方法において、上記ＣｕおよびＩｎを上記キャリア・フィルム上に配置され、その際、上記キャリア・フィルムと反対側の面の金属がカルコゲンとの反応により縦方向に一部分だけ光起電活性吸収体材料に変換されて該ＣｕおよびＩｎの合金相が該キャリア・フィルム上に直接形成されるようにするとともに、該ＣｕおよびＩｎが太陽電池素子構造のバック電極としての役割を持つように変換され、緩衝層を形成し、透明な導電率フロント電極を形成するものである。
【００１１】
本発明の好適な実施態様については、それぞれ従属請求項に記載するとおりである。
本発明の基本的概念は、太陽電池素子のバック電極をＣｕおよびＩｎの合金相で形成することにある。これらの合金相は、同時に吸収体層とステンレススチール・フィルムから成るキャリア・フィルムとを結合する役割も果たす。従って、バック電極としてモリブデン層を別に形成したり、吸収体層の接着性改善のために中間層を形成する必要がない。
【００１２】
吸収体層の接着性が良いということに関しては、コスト効率が良く、非常に薄く、機械的に堅固な金属フィルムを基板として用いることが可能になる。これらの基板上で可撓性の太陽電池素子を連続ロール・ツー・ロール・プロセスによって製造することができる。第１のステップでは、ＣｕおよびＩｎが連続ロール・ツー・ロール・プロセスで沈着される。第２の連続ロール・ツー・ロール・プロセスでは、前駆体によって被覆されたキャリア・フィルムが狭スリット反応装置でカルコゲン化される。このプロセスは、太陽電池素子構造のバック電極としての役割を持つＣｕおよびＩｎの合金相が直接キャリア・フィルム上に形成されるよう、ＩＢ−IIIＡ族金属前駆体が一部分だけ三元成分多結晶のｐ型吸収体層に変換されるように行われる。カルコゲン化プロセスにおける反応時間が短く、またキャリア・フィルムの熱容量が小さいために、三元成分多結晶吸収体層は、このように、連続ロール・ツー・ロール・プロセスで薄いキャリア・フィルム上に効率的に形成することができる。多結晶吸収体層は、可撓性金属フィルム上で剥離もフレーキングも起こることがないように、バック電極と密に互成される。次に、連続ロール・ツー・ロール・プロセスで緩衝層および透明フロント電極を形成して、これらの可撓性薄膜太陽電池素子の製造プロセスは終了する。
【００１３】
【発明の実施の形態】
以下、本発明を図面に示す実施形態に基づいて説明する。
図１は、本実施形態に係る太陽電池素子の断面構造を示す説明図である。
典型的には１０μｍ〜３０μｍの厚さを持つステンレススチール・フィルムがキャリア・フィルム１として通常使用される。ステンレススチール・フィルムは、さらに他の金属あるいは酸化物で被覆することも可能である。キャリア・フィルム１上には、厚さが１μｍ〜５μｍのバック電極４が設けられる。バック電極４は、好ましくはＣｕ７Ｉｎ３合金相よりなる。バック電極４の上には、ｐ型導電性の多結晶吸収体層（ＰＡＳ）５（好ましくはやはりＣｕＩｎＳ２合金相よりなる）が設けられる。多結晶吸収体層５は、通常１μｍ〜３μｍの厚さを有する。多結晶吸収体層５は、如何なるフレーキングも生じないように、バック電極４で密に互生される。多結晶吸収体層５の上には、好ましくはＣｄＳで形成された薄い緩衝層７が設けられる。この緩衝層７は、５０ｎｍ〜１０ｎｍの厚さを有する。緩衝層７の上には、好ましくは外部ドーピングされた酸化亜鉛で形成された透明なブリーダ電極８が設けられる。
【００１４】
この太陽電池素子は、厚さが僅か約２０μｍ〜４０μｍしかなく、そのために原材料消費量に関して非常に効率的に生産することができる。膜厚が非常に薄いために、この太陽電池素子は非常に重量が小さく、地球圏外での用途に極めて好適である。
このような太陽電池素子を製造するためには、図３に示すように、金属の銅とインジウムを可撓性のステンレススチール・フィルム１上に好ましくはロール・ツー・ロール・プロセス（例えば、米国特許第5,457,057号明細書に開示されている）で次々に電着する。この方法は、非常に材料効率が良く、設備ないしは実装技術に関して比較的簡単に実施することが可能である。また、金属前駆体はスパッタリングプロセスや真空蒸着プロセスあるいはこれらの組合せによって形成することも可能である。銅層２は、通常１μｍ〜５μｍの厚さを有する。インジウム層３の厚さは通常０.５μｍ〜２μｍである。
【００１５】
その後、Ｃｕ−Ｉｎ前駆体によって被覆されたキャリア・フィルム１は、数秒間ロール・ツー・ロール・プロセスにより狭スリット反応装置にかけてカルコゲン化される。前駆体は、好ましくはミリ秒の範囲の時間不活性気体雰囲気中４５０℃〜６００℃で加熱される。インジウムは融解され、銅は状態図に従ってその融解インジウム中に溶解される。続いて、前駆体は硫黄含有またはセレン含有反応ガス、好ましくは硫黄含有窒素キャリアガス中でカルコゲン化される。このプロセスに従って、気体硫黄と液体Ｃｕ−Ｉｎ前駆体との化学反応によりｐ型導電率の多結晶吸収体層５が形成される。このカルコゲン化プロセスは好ましくは１秒〜１０秒間行われる。このプロセス制御によって、Ｃｕ−Ｉｎ前駆体は一部分だけ多結晶吸収体層５に変換される。カルコゲン化プロセスの後、多結晶吸収体層５を具備するキャリア・フィルム１を好ましくは５００℃〜６００℃の温度の不活性気体雰囲気中でアニールされる。このアニールステップは通常１０秒〜６０秒間行われる。このアニールステップ中に、残留前駆体はＣｕ−Ｉｎ合金相の形成、好ましくは太陽電池素子のバック電極４を形成しかつ同時に多結晶吸収体層５と密に互成するＣｕ７Ｉｎ３合金相の形成に伴って固化する。このアニール処理は、多結晶吸収体層５の結晶構造および電子特性を決定する。アニール後、キャリア・フィルム１は不活性気体雰囲気中で秒の範囲の時間で周囲温度に冷却される。
【００１６】
「加熱、カルコゲン、アニール、冷却」のプロセス全体では、通常１５秒〜７０秒の時間を要する。そして、「ステンレススチール・フィルム１、Ｃｕ−Ｉｎバック電極４、多結晶ｐ−ＣＩＳ−吸収体層５」の構造が形成される。Ｃｕ−カルコゲン二元成分相６が多結晶ｐ−ＣＩＳ−吸収体層５の表面に形成されることもあるが、この相はロール・ツー・ロール・プロセスの中間ステップでエッチングによって除去される。
【００１７】
ｐ型導電性の多結晶吸収体層５上には、ロール・ツー・ロール・プロセスで硫化カドミウムのｎ型層が湿式化学沈着法により形成される。また、酸化インジウム、水酸化インジウムあるいは硫化亜鉛の薄層の沈着形成も可能である。最終ステップでは、ロール・ツー・ロール・プロセスで透明フロント電極（ＴＣＯ）が形成されるが、このフロント電極は通常１μｍ〜２μｍの厚さを有するＺｎＯ層からなり、スパッタリングプロセスによって沈着形成される。他の導電率酸化物を使用することも可能である。
【００１８】
【発明の効果】
本発明によれば、コスト効率の良い任意のキャリア・フィルムに対して堅固に接着されるＩＢ−IIIＡ−VIＡ族化合物半導体ベースのｐ型導電性吸収体層を具備した太陽電池素子を提供することができる。
【図面の簡単な説明】
【図１】  本発明の実施形態に係る太陽電池素子の断面構造を示す説明図である。
【図２】  バック電極と密に互生中の多結晶吸収体層の断面構造を示す顕微鏡写真である。
【図３】  可撓性太陽電池素子製造における中間生成物の断面構造を示す説明図である。
【符号の説明】
１  キャリア・フィルム
２  銅層
３  インジウム層
４  バック電極
５  ｐ型導電性の多結晶吸収体層（ＰＡＳ）
７  緩衝層
８  透明なブリーダ電極
【図１】
0004873771.tif 000002
【図２】
0004873771.tif 000003
【図３】
0004873771.tif 000004